(57)【特許請求の範囲】
【請求項１】
画像データを取得する取得手段と、
画像データに対して実行する処理と、前記画像データに対して実行した処理の処理結果をチェックするチェック処理とから、任意の前記処理及び前記チェック処理を組み合わせたワークフローの実行を制御するフロー制御手段と、
前記ワークフローに従って、前記画像データに対して実行した処理が前記チェック処理の対象となるチェック対象処理であった場合、該チェック対象処理の前記処理結果に対するユーザ確認が必要であるか否かを判定する判定手段と、
前記ユーザ確認が必要であると判定された場合、前記処理結果の確認をユーザに通知する通知手段と、
前記通知手段により通知した前記処理結果に対する前記ユーザからの修正入力を受け付ける受付手段と、
前記修正入力が受け付けられた場合、前記修正入力に従った修正を前記画像データに施し、前記ユーザ確認が必要でないと判定された場合、前記チェック対象処理に応じた修正を前記画像データに施す修正手段と、
を備えることを特徴とする画像処理装置。
【請求項２】
前記チェック対象処理と前記ユーザ確認の要否とを対応付けた確認情報を記憶する確認情報記憶手段と、
前記チェック対象処理と修正方法とを対応付けた修正方法情報を記憶する修正方法情報記憶手段と、を更に備え、
前記判定手段は、前記確認情報を参照して、前記ユーザ確認が必要であるか否かを判定し、
前記修正手段は、前記ユーザ確認が必要でないと判定された場合、前記修正方法情報を参照し、前記チェック対象処理に対応付けられた前記修正方法で前記画像データに修正を施すことを特徴とする請求項１に記載の画像処理装置。
【請求項３】
前記チェック対象処理と、前記処理結果の確認を通知する確認装置として画像形成装置又は情報処理装置を示す確認装置情報とを対応付けた確認装置情報を記憶する確認装置情報記憶手段を更に備え、
前記通知手段は、前記確認装置情報を参照し、前記チェック対象処理に対応付けられた前記確認装置情報が示す装置を前記確認装置に指定して、前記処理結果の確認を前記ユーザに通知することを特徴とする請求項２に記載の画像処理装置。
【請求項４】
前記ワークフローに従って、前記修正が施された前記画像データを配信する配信手段を、更に備えることを特徴とする請求項１〜３のいずれか１つに記載の画像処理装置。
【請求項５】
前記処理結果の確認を通知してからの経過時間をカウントするタイマ手段を更に備え、
前記修正手段は、前記経過時間が所定時間を越えるまでに前記受付手段により前記修正入力が受け付けられなかった場合、前記画像データの修正を中止し、
前記配信手段は、前記ワークフローに従って、前記修正が中止された前記画像データを配信することを特徴とする請求項４に記載の画像処理装置。
【請求項６】
前記受付手段は、更に、前記ユーザから前記処理結果の修正が不要であることを示す修正不要入力を受け付け、
前記修正手段は、前記修正不要入力が受け付けられた場合、前記画像データの修正を中止し、
前記配信手段は、前記ワークフローに従って、前記修正が中止された前記画像データを配信することを特徴とする請求項４又は５に記載の画像処理装置。
【請求項７】
請求項１〜６のいずれか１つに記載の画像処理装置は、画像を読み込み、画像データを生成する画像生成手段を備える画像形成装置であり、
前記取得手段は、前記画像生成手段が生成した画像データを取得することを特徴とする画像形成装置。
【請求項８】
電子データに対する処理を実行する１以上の処理手段と、
前記１以上の処理手段のうち、実行した処理の処理結果に対するチェック処理を実行する対象となる処理手段を記憶する記憶手段と、
前記電子データを取得する取得手段と、
取得した前記電子データに対する処理を実行した処理手段が、前記チェック処理を実行する対象となる処理手段であった場合に、該処理手段が実行した処理の処理結果に対するユーザ確認が必要か否かを判定する判定手段と、
前記判定手段によりユーザ確認が必要であると判定された場合、該処理結果の確認をユーザに通知する通知手段と、
前記通知手段により通知した前記処理結果に対する前記ユーザからの修正入力を受け付ける受付手段と、
前記受付手段により前記修正入力が受け付けられた場合に、前記修正入力に従った修正を施し、前記判定手段によりユーザ確認が必要でないと判定された場合に、該判定の対象となる前記処理手段に応じた修正を施す修正手段と、
を備える情報処理装置。
【請求項９】
前記情報処理装置は、画像処理装置、又は、画像形成装置であることを特徴とする請求項８に記載の情報処理装置。
【請求項１０】
画像形成装置と、前記画像形成装置とネットワークを介して接続される画像処理装置とを、備える画像処理システムであって、
前記画像形成装置は、
画像を読み込み、画像データを生成する画像生成手段を備え、
前記画像処理装置は、
前記画像データを取得する取得手段と、
画像データに対して実行する処理と、前記画像データに対して実行した処理の処理結果をチェックするチェック処理とから、任意の前記処理及び前記チェック処理を組み合わせたワークフローの実行を制御するフロー制御手段と、
前記ワークフローに従って、前記画像データに対して実行した処理が前記チェック処理の対象となるチェック対象処理であった場合、該チェック対象処理の前記処理結果に対するユーザ確認が必要であるか否かを判定する判定手段と、
前記ユーザ確認が必要であると判定された場合、前記処理結果の確認をユーザに通知する通知手段と、
前記通知手段により通知した前記処理結果に対する前記ユーザからの修正入力を受け付ける受付手段と、
前記修正入力が受け付けられた場合、前記修正入力に従った修正を前記画像データに施し、前記ユーザ確認が必要でないと判定された場合、前記チェック対象処理に応じた修正を前記画像データに施す修正手段と、を備えることを特徴とする画像処理システム。
【請求項１１】
前記画像処理装置は、
前記チェック対象処理と前記ユーザ確認の要否とを対応付けた確認情報を記憶する確認情報記憶手段と、
前記チェック対象処理と修正方法とを対応付けた修正方法情報を記憶する修正方法情報記憶手段と、を更に備え、
前記判定手段は、前記確認情報を参照して、前記ユーザ確認が必要であるか否かを判定し、
前記修正手段は、前記ユーザ確認が必要でないと判定された場合、前記修正方法情報を参照し、前記チェック対象処理に対応付けられた前記修正方法で前記画像データに修正を施すことを特徴とする請求項１０に記載の画像処理システム。
【請求項１２】
前記画像処理装置は、
前記チェック対象処理と、前記処理結果の確認を通知する確認装置として画像形成装置又は情報処理装置を示す確認装置情報とを対応付けた確認装置情報を記憶する確認装置情報記憶手段を更に備え、
前記通知手段は、前記確認装置情報を参照し、前記チェック対象処理に対応付けられた前記確認装置情報が示す装置を前記確認装置に指定して、前記処理結果の確認を前記ユーザに通知することを特徴とする請求項１１に記載の画像処理システム。
【請求項１３】
前記画像処理装置は、
前記ワークフローに従って、前記修正が施された前記画像データを配信する配信手段を、更に備えることを特徴とする請求項１０〜１２のいずれか１つに記載の画像処理システム。
【請求項１４】
前記画像処理装置は、
前記処理結果の確認を通知してからの経過時間をカウントするタイマ手段を更に備え、
前記修正手段は、前記経過時間が所定時間を越えるまでに前記受付手段により前記修正入力が受け付けられなかった場合、前記画像データの修正を中止し、
前記配信手段は、前記ワークフローに従って、前記修正が中止された前記画像データを配信することを特徴とする請求項１３に記載の画像処理システム。
【請求項１５】
前記受付手段は、更に、前記ユーザから前記処理結果の修正が不要であることを示す修正不要入力を受け付け、
前記修正手段は、前記修正不要入力が受け付けられた場合、前記画像データの修正を中止し、
前記配信手段は、前記ワークフローに従って、前記修正が中止された前記画像データを配信することを特徴とする請求項１３又は１４に記載の画像処理システム。
【請求項１６】
取得手段が、画像データを取得する取得ステップと、
フロー制御手段が、画像データに対して実行する処理と、前記画像データに対して実行した処理の処理結果をチェックするチェック処理とから、任意の前記処理及び前記チェック処理を組み合わせたワークフローの実行を制御するフロー制御ステップと、
判定手段が、前記ワークフローに従って、前記画像データに対して実行した処理が前記チェック処理の対象となるチェック対象処理であった場合、該チェック対象処理の前記処理結果に対するユーザ確認が必要であるか否かを判定する判定ステップと、
通知手段が、前記ユーザ確認が必要であると判定された場合、前記処理結果の確認をユーザに通知する通知ステップと、
受付手段が、前記通知ステップで通知した前記処理結果に対する前記ユーザからの修正入力を受け付ける受付ステップと、
修正手段が、前記修正入力が受け付けられた場合、前記修正入力に従った修正を前記画像データに施し、前記ユーザ確認が必要でないと判定された場合、前記チェック対象処理に応じた修正を前記画像データに施す修正ステップと、
を含むことを特徴とする画像処理方法。
【請求項１７】
画像生成手段が、画像を読み込み、画像データを生成する画像生成ステップを更に含み、
前記取得ステップでは、前記画像生成ステップで生成された画像データを取得することを特徴とする請求項１６に記載の画像処理方法。
【請求項１８】
画像形成装置と、前記画像形成装置とネットワークを介して接続される画像処理装置とを、備える画像処理システムで実行される画像処理方法であって、
前記画像形成装置は、
画像生成手段が、画像を読み込み、画像データを生成する画像生成ステップを含み、
前記画像処理装置は、
取得手段が、前記画像データを取得する取得ステップと、
フロー制御手段が、画像データに対して実行する処理と、前記画像データに対して実行した処理の処理結果をチェックするチェック処理とから、任意の前記処理及び前記チェック処理を組み合わせたワークフローの実行を制御するフロー制御ステップと、
判定手段が、前記ワークフローに従って、前記画像データに対して実行した処理が前記チェック処理の対象となるチェック対象処理であった場合、該チェック対象処理の前記処理結果に対するユーザ確認が必要であるか否かを判定する判定ステップと、
通知手段が、前記ユーザ確認が必要であると判定された場合、前記処理結果の確認をユーザに通知する通知ステップと、
受付手段が、前記通知手段により通知した前記処理結果に対する前記ユーザからの修正入力を受け付ける受付ステップと、
修正手段が、前記修正入力が受け付けられた場合、前記修正入力に従った修正を前記画像データに施し、前記ユーザ確認が必要でないと判定された場合、前記チェック対象処理に応じた修正を前記画像データに施す修正ステップと、を含むことを特徴とする画像処理方法。
【請求項１９】
請求項１６又は１７に記載の画像処理方法をコンピュータに実行させるための画像処理プログラム。
【請求項２０】
請求項１９に記載の画像処理プログラムを記憶したコンピュータ読み取り可能な記憶媒体。
【発明の詳細な説明】
【技術分野】
【０００１】
本発明は、画像処理装置、画像形成装置、情報処理装置、画像処理システム、画像処理方法、画像処理プログラム及び記憶媒体に関する。
【背景技術】
【０００２】
従来から、画像データの入力処理、変換処理、及び出力処理などを任意に組み合わせたワークフローを実行して、画像データを外部に配信する技術が知られている（例えば、特許文献１参照）。このような技術では、ワークフローとして組み合わされた各種処理が一連の処理として自動的に実行されるため、ユーザの利便性を高めることができる。
【発明の概要】
【発明が解決しようとする課題】
【０００３】
しかしながら、上述したような従来技術では、ワークフローとして組み合わされた処理の処理結果がユーザの意図したものになっているとは限らず、ユーザの意図と異なる画像データが生成されてしまう可能性がある。
【０００４】
本発明は、上記事情に鑑みてなされたものであり、ワークフローを実行する場合であってもユーザの意図した画像データを生成することができる画像処理装置、画像形成装置、情報処理装置、画像処理システム、画像処理方法、画像処理プログラム及び記憶媒体を提供することを目的とする。
【課題を解決するための手段】
【０００５】
上述した課題を解決し、目的を達成するために、本発明の一態様にかかる画像処理装置は、画像データを取得する取得手段と、画像データに対して実行する処理と、前記画像データに対して実行した処理の処理結果をチェックするチェック処理とから、任意の前記処理及び前記チェック処理を組み合わせたワークフローの実行を制御するフロー制御手段と、前記ワークフローに従って、前記画像データに対して実行した処理が前記チェック処理の対象となるチェック対象処理であった場合、該チェック対象処理の前記処理結果に対するユーザ確認が必要であるか否かを判定する判定手段と、前記ユーザ確認が必要であると判定された場合、前記処理結果の確認をユーザに通知する通知手段と、前記通知手段により通知した前記処理結果に対する前記ユーザからの修正入力を受け付ける受付手段と、前記修正入力が受け付けられた場合、前記修正入力に従った修正を前記画像データに施し、前記ユーザ確認が必要でないと判定された場合、前記チェック対象処理に応じた修正を前記画像データに施す修正手段と、を備えることを特徴とする。
【０００６】
また、本発明の別の態様にかかる画像形成装置は、上記画像処理装置が、画像を読み込み、画像データを生成する画像生成手段を備える画像形成装置であり、前記取得手段は、前記画像生成手段が生成した画像データを取得することを特徴とする。
また、本発明の別の態様にかかる画像形成装置は、電子データに対する処理を実行する１以上の処理手段と、前記１以上の処理手段のうち、実行した処理の処理結果に対するチェック処理を実行する対象となる処理手段を記憶する記憶手段と、前記電子データを取得する取得手段と、取得した前記電子データに対する処理を実行した処理手段が、前記チェック処理を実行する対象となる処理手段であった場合に、該処理手段が実行した処理の処理結果に対するユーザ確認が必要か否かを判定する判定手段と、前記判定手段によりユーザ確認が必要であると判定された場合、該処理結果の確認をユーザに通知する通知手段と、前記通知手段により通知した前記処理結果に対する前記ユーザからの修正入力を受け付ける受付手段と、前記受付手段により前記修正入力が受け付けられた場合に、前記修正入力に従った修正を施し、前記判定手段によりユーザ確認が必要でないと判定された場合に、該判定の対象となる前記処理手段に応じた修正を施す修正手段と、を備える。
【０００７】
また、本発明の別の態様にかかる画像処理システムは、画像形成装置と、前記画像形成装置とネットワークを介して接続される画像処理装置とを、備える画像処理システムであって、前記画像形成装置は、画像を読み込み、画像データを生成する画像生成手段を備え、前記画像処理装置は、前記画像データを取得する取得手段と、画像データに対して実行する処理と、前記画像データに対して実行した処理の処理結果をチェックするチェック処理とから、任意の前記処理及び前記チェック処理を組み合わせたワークフローの実行を制御するフロー制御手段と、前記ワークフローに従って、前記画像データに対して実行した処理が前記チェック処理の対象となるチェック対象処理であった場合、該チェック対象処理の前記処理結果に対するユーザ確認が必要であるか否かを判定する判定手段と、前記ユーザ確認が必要であると判定された場合、前記処理結果の確認をユーザに通知する通知手段と、前記通知手段により通知した前記処理結果に対する前記ユーザからの修正入力を受け付ける受付手段と、前記修正入力が受け付けられた場合、前記修正入力に従った修正を前記画像データに施し、前記ユーザ確認が必要でないと判定された場合、前記チェック対象処理に応じた修正を前記画像データに施す修正手段と、を備えることを特徴とする。
【０００８】
また、本発明の別の態様にかかる画像処理方法は、取得手段が、画像データを取得する取得ステップと、フロー制御手段が、画像データに対して実行する処理と、前記画像データに対して実行した処理の処理結果をチェックするチェック処理とから、任意の前記処理及び前記チェック処理を組み合わせたワークフローの実行を制御するフロー制御ステップと、判定手段が、前記ワークフローに従って、前記画像データに対して実行した処理が前記チェック処理の対象となるチェック対象処理であった場合、該チェック対象処理の前記処理結果に対するユーザ確認が必要であるか否かを判定する判定ステップと、通知手段が、前記ユーザ確認が必要であると判定された場合、前記処理結果の確認をユーザに通知する通知ステップと、受付手段が、前記通知ステップで通知した前記処理結果に対する前記ユーザからの修正入力を受け付ける受付ステップと、修正手段が、前記修正入力が受け付けられた場合、前記修正入力に従った修正を前記画像データに施し、前記ユーザ確認が必要でないと判定された場合、前記チェック対象処理に応じた修正を前記画像データに施す修正ステップと、を含むことを特徴とする。
【０００９】
また、本発明の別の態様にかかる画像処理方法は、上記画像処理方法において、画像生成手段が、画像を読み込み、画像データを生成する画像生成ステップを更に含み、前記取得ステップでは、前記画像生成ステップで生成された画像データを取得することを特徴とする。
【００１０】
また、本発明の別の態様にかかる画像処理方法は、画像形成装置と、前記画像形成装置とネットワークを介して接続される画像処理装置とを、備える画像処理システムで実行される画像処理方法であって、前記画像形成装置は、画像生成手段が、画像を読み込み、画像データを生成する画像生成ステップを含み、前記画像処理装置は、取得手段が、前記画像データを取得する取得ステップと、フロー制御手段が、画像データに対して実行する処理と、前記画像データに対して実行した処理の処理結果をチェックするチェック処理とから、任意の前記処理及び前記チェック処理を組み合わせたワークフローの実行を制御するフロー制御ステップと、判定手段が、前記ワークフローに従って、前記画像データに対して実行した処理が前記チェック処理の対象となるチェック対象処理であった場合、該チェック対象処理の前記処理結果に対するユーザ確認が必要であるか否かを判定する判定ステップと、通知手段が、前記ユーザ確認が必要であると判定された場合、前記処理結果の確認をユーザに通知する通知ステップと、受付手段が、前記通知手段により通知した前記処理結果に対する前記ユーザからの修正入力を受け付ける受付ステップと、修正手段が、前記修正入力が受け付けられた場合、前記修正入力に従った修正を前記画像データに施し、前記ユーザ確認が必要でないと判定された場合、前記チェック対象処理に応じた修正を前記画像データに施す修正ステップと、を含むことを特徴とする。
【００１１】
また、本発明の別の態様にかかる画像処理プログラムは、上記画像処理方法をコンピュータに実行させるためのものである。
【００１２】
また、本発明の別の態様にかかる記憶媒体は、上記画像処理プログラムを記憶したコンピュータ読み取り可能なものである。
【発明の効果】
【００１３】
本発明によれば、ワークフローを実行する場合であってもユーザの意図した画像データを生成することができるという効果を奏する。
【図面の簡単な説明】
【００１４】
【図１】図１は、第１実施形態の画像処理システムの構成例を示す概略図である。
【図２】図２は、第１実施形態の複合機の機能構成例を示すブロック図である。
【図３】図３は、ワークフロー例を示す図である。
【図４】図４は、ワークフロー選択画面例を示す図である。
【図５】図５は、第１実施形態の画像処理サーバの機能構成例を示すブロック図である。
【図６】図６は、確認テーブル例を示す図である。
【図７】図７は、確認装置テーブル例を示す図である。
【図８】図８は、ＯＣＲ結果の確認画面例を示す図である。
【図９】図９は、パンチ穴除去結果の確認画面例を示す図である。
【図１０】図１０は、天地識別処理結果の確認画面例を示す図である。
【図１１】図１１は、修正方法テーブル例を示す図である。
【図１２】図１２は、第１実施形態の画像処理システムの処理例を示すフローチャートである。
【図１３】図１３は、第２実施形態の画像処理システムの構成例を示す概略図である。
【図１４】図１４は、第２実施形態の複合機の機能構成例を示すブロック図である。
【図１５】図１５は、第１〜２実施形態の複合機のハードウェア構成例を示すブロック図である。
【発明を実施するための形態】
【００１５】
以下、添付図面を参照しながら、本発明にかかる画像処理装置、画像形成装置、情報処理装置、画像処理システム、画像処理方法、画像処理プログラム及び記憶媒体の実施形態を詳細に説明する。なお、以下の各実施形態では、画像形成装置として、スキャン機能に加え、コピー機能、ファクシミリ機能、及び印刷機能の少なくともいずれかの機能を備える複合機（ＭＦＰ：Multifunction  Peripheral）を例にとり説明するが、これに限定されるものではない。画像形成装置は、例えば、スキャナ装置、コピー装置、又はファクシミリ装置など画像データのスキャン入力が可能な装置であればいずれの装置であってもよい。
【００１６】
（第１実施形態）
まず、第１実施形態の画像処理システムの構成について説明する。
【００１７】
図１は、第１実施形態の画像処理システム１０の概略構成の一例を示す図である。図１に示すように、画像処理システム１０は、複合機２０と、画像処理サーバ３０（画像処理装置の一例）と、画像管理サーバ４０と、ＰＣ（Personal  Computer）５０（情報処理装置の一例）とを、備える。画像処理システム１０の各装置は、例えばＬＡＮ(Local  Area  Network)や公衆回線などのネットワーク１１を介して接続されている。なお第１実施形態では、複合機、ＰＣの数がそれぞれ１台である場合を例に取り説明するが、これに限定されるものではなく、複合機の数は複数台あってもよいし、ＰＣの数も複数台あってもよい。
【００１８】
複合機２０は、スキャン機能、コピー機能、ファクシミリ機能、及び印刷機能などの機能を有する。複合機２０は、例えば、スキャン機能により原稿などの紙媒体をスキャンして画像データを生成し、生成した画像データを画像処理サーバ３０に送信する。複合機２０の詳細については後述する。
【００１９】
画像処理サーバ３０は、画像データに対する任意の処理及びチェック処理を組み合わせたワークフローを実行するものであり、例えば、ワークステーション等のコンピュータにより実現できる。画像処理サーバ３０は、例えば、複合機２０に入力された画像データを取得し、ワークフローに従って、取得した画像データに変換処理を施し、チェック処理を行い、出力する。画像処理サーバ３０の詳細については後述する。
【００２０】
画像管理サーバ４０は、画像処理サーバ３０から出力された画像データを蓄積し、管理するものであり、例えば、ワークステーション等のコンピュータにより実現できる。また画像管理サーバ４０は、蓄積した画像データに画像タイプを登録したり、蓄積した画像データを検索したりすることもできる。
【００２１】
ＰＣ５０は、管理者やユーザが使用する端末装置であり、ワークフローの処理結果の確認や修正などを行う。
【００２２】
図２は、第１実施形態の複合機２０の機能構成の一例を示すブロック図である。図２に示すように、複合機２０は、表示部２１０と、入力部２２０と、画像生成部２３０と、通信部２４０と、記憶部２５０と、制御部２６０とを、備える。なお、図２に示す例では、コピー機能、ファクシミリ機能、及び印刷機能に関する機能部についての図示を省略している。
【００２３】
表示部２１０は、各種画面を表示するものであり、タッチパネル式ディスプレイや液晶ディスプレイなどの既存の表示装置により実現できる。
【００２４】
入力部２２０は、各種操作の入力を行うものであり、キースイッチやタッチパネルなどの既存の入力装置により実現できる。なお、表示部２１０及び入力部２２０は、タッチパネル式ディスプレイ（オペレーションパネル）などにより一体的に実現してもよい。
【００２５】
画像生成部２３０は、原稿などの紙媒体を読み取って画像データを生成するものであり、スキャナなどの既存の読取装置により実現できる。
【００２６】
通信部２４０は、ネットワーク１１を介して、画像処理サーバ３０などの外部装置と通信するものであり、例えば、通信インタフェースなどの既存の通信装置により実現できる。
【００２７】
記憶部２５０は、複合機２０で実行される各種プログラムや複合機２０で行われる各種処理に使用される各種情報などを記憶する。記憶部２５０は、例えば、ＨＤＤ（Hard  Disk  Drive）、ＳＳＤ（Solid  State  Drive）、メモリカード、光ディスク、ＲＯＭ（Read  Only  Memory）、ＲＡＭ（Random  Access  Memory）などの磁気的、光学的、又は電気的に記憶可能な既存の記憶装置により実現できる。
【００２８】
制御部２６０は、複合機２０の各部を制御するものであり、ＣＰＵ（Central  Processing  Unit）などの既存の制御装置により実現できる。制御部２６０は、複合機２０の各部を制御して、画像処理サーバ３０に実行させるワークフローを選択したり、画像生成部２３０により生成された画像データを、通信部２４０を介して画像処理サーバ３０に送信したりする。
【００２９】
ここで、ワークフローとは、画像データに対する任意の処理及びチェック処理を組み合わせた処理フローのことをいう。画像データに対する任意の処理は、例えば、画像データの入力処理、変換処理、及び出力処理などがある。入力処理、変換処理、及び出力処理は、例えば、プラグインにより実現できる。入力処理のプラグインには、例えば、スキャン入力及びＦＡＸ受信などがある。変換処理のプラグインには、例えば、ＯＣＲ（Optical  Character  Reader）処理、パンチ穴除去処理、天地識別処理、言語変換処理、ＰＤＦ変換処理、及びＪＰＥＧ変換処理などがある。出力処理のプラグインには、例えば、メール（ＳＭＴＰ（Simple  Mail  Transfer  Protocol））送信及びフォルダ配信などがある。
【００３０】
図３は、ワークフローの一例を示す図である。ワークフロー１は、画像データにＯＣＲ（Optical  Character  Reader）処理を施し、チェックポイント（ＣＰ）でＯＣＲ処理結果をチェックし、フォルダ配信するワークフローを示す。ワークフロー２は、画像データにパンチ穴除去処理を施し、チェックポイント（ＣＰ）でパンチ穴除去処理結果をチェックし、ＳＭＴＰ（Simple  Mail  Transfer  Protocol）配信するワークフローを示す。ワークフロー３は、画像データに天地識別処理を施し、チェックポイント（ＣＰ）で天地識別処理結果をチェックし、ＳＭＴＰ（Simple  Mail  Transfer  Protocol）配信するワークフローを示す。なお、ワークフローで処理が施される画像データは、複合機２０から取得された画像データであってもよいし、画像管理サーバ４０に蓄積されている画像データや電子データであってもよい。
【００３１】
制御部２６０は、画像処理サーバ３０から通信部２４０を介してワークフロー選択画面のＵＩ情報を受信すると、ワークフロー選択画面を表示部２１０に表示させる。また制御部２６０は、入力部２２０からワークフローを選択する選択入力を受け付けると、通信部２４０を介して画像処理サーバ３０に送信する。これにより、選択入力を受け付けたワークフローが選択される。図４は、ワークフロー選択画面の一例を示す図である。図４に示す例では、図３で説明したワークフロー１〜３のいずれかを選択させるワークフロー選択画面が表示部２１０に表示されている。この場合、入力部２２０からワークフロー１〜３のいずれかを選択する選択入力が行われることにより、選択入力が行われたワークフローが選択される。
【００３２】
制御部２６０は、画像生成部２３０により画像データが生成された場合、生成された画像データを、通信部２４０を介して画像処理サーバ３０に送信する。なお制御部２６０は、画像データに付随して、ワークフローに従って画像データに付随して配信する電子データを識別する電子データ識別情報を画像処理サーバ３０に送信するようにしてもよい。電子データ識別情報は、入力部２２０から入力できる。同様に、制御部２６０は、画像データに付随して書誌情報を画像処理サーバ３０に送信するようにしてもよい。書誌情報とは、例えば、画像変換処理用の画像形式や画像サイズなどであったり、出力処理用のメールアドレスなどであったりする。書誌情報は、入力部２２０から入力できる。以下、配信処理を行うための書誌情報や電子データ識別情報などを配信設定情報と称する。
【００３３】
なお、複合機２０は、上述した各部の全てを必須の構成とする必要はなく、その一部を省略した構成としてもよい。
【００３４】
図５は、第１実施形態の画像処理サーバ３０の機能構成の一例を示すブロック図である。図５に示すように、画像処理サーバ３０は、通信部３１０と、記憶部３２０と、制御部３３０とを、備える。
【００３５】
通信部３１０（取得手段の一例）は、ネットワーク１１を介して、複合機２０、画像管理サーバ４０、及びＰＣ５０などの外部装置と通信するものであり、複合機２０同様、既存の通信装置により実現できる。通信部３１０は、例えば、後述の制御部３３０の指示を受け、複合機２０にワークフロー選択画面などのＵＩ情報を送信したり、複合機２０から、選択入力が行われたワークフローの情報や複合機２０に入力された画像データや配信設定情報などを受信したりする。
【００３６】
記憶部３２０は、画像処理サーバ３０で実行される各種プログラムや画像処理サーバ３０で行われる各種処理に使用される各種情報などを記憶するものであり、複合機２０同様、既存の記憶装置により実現できる。記憶部３２０は、例えば、変換処理及び出力処理などの各プラグイン、ワークフロー、複合機２０に表示させるワークフロー選択画面などのＵＩ情報、複合機２０で選択されたワークフローの情報、複合機２０から送信された画像データ及び配信設定情報（ジョブ）などを記憶する。また記憶部３２０は、確認テーブル記憶部３２２と、確認装置テーブル記憶部３２４と、修正方法テーブル記憶部３２６とを、含む。なお、これらの記憶部の詳細については後述する。
【００３７】
制御部３３０は、画像処理サーバ３０の各部を制御するものであり、複合機２０同様、既存の制御装置により実現できる。制御部３３０は、ジョブ管理部３３２と、フロー制御部３３４と、変換部３３６と、判定部３３８と、通知部３４０と、タイマ部３４２と、受付部３４４と、修正部３４６と、配信部３４８と、を含む。
【００３８】
ジョブ管理部３３２は、通信部３１０によりＭＦＰ２０から受信された画像データ及び配信設定情報などをジョブとして記憶部３２０に記憶し、後述のフロー制御部３３４にジョブの処理を依頼する。なお、ジョブ管理部３３２は、選択されているワークフローに応じて、画像管理サーバ４０に蓄積されている画像データや電子データを取得して、ジョブとして記憶部３２０に記憶し、フロー制御部３３４にジョブの処理を依頼するようにしてもよい。
【００３９】
フロー制御部３３４は、ジョブ管理部３３２からジョブの処理要求を受け、ワークフローの実行を制御する。具体的には、フロー制御部３３４は、変換部３３６、判定部３３８、通知部３４０、タイマ部３４２、受付部３４４、修正部３４６、及び配信部３４８を制御して、ワークフローに含まれる処理の実行を制御する。例えば、フロー制御部３３４は、変換部３３６を制御してワークフローに含まれる変換処理の実行を制御する。また例えば、フロー制御部３３４は、判定部３３８、通知部３４０、タイマ部３４２、受付部３４４、及び修正部３４６を制御してワークフローに含まれるチェック処理の実行を制御する。また例えば、フロー制御部３３４は、配信部３４８を制御してワークフローに含まれる出力処理の実行を制御する。なお、変換部３３６は、変換処理用のプラグインにより実現され、配信部３４８は、出力処理用のプラグインにより実現される。
【００４０】
変換部３３６は、フロー制御部３３４からの指示を受け、画像データに対し、ＯＣＲ処理、パンチ穴除去処理、天地識別処理、ＰＤＦ変換処理、及びＪＰＥＧ変換処理などの変換処理を施す。
【００４１】
ここで、確認テーブル記憶部３２２について説明する。確認テーブル記憶部３２２は、チェック処理の対象となるチェック対象処理と、チェック対象処理の処理結果のユーザ確認の要否と、を対応付けた確認テーブルを記憶する。図６は、確認テーブルの一例を示す図である。図６に示す例では、変換処理がチェック対象処理となっており、ＯＣＲ処理、パンチ穴除去処理、及び天地識別処理がユーザ確認要となっている。なお図６に示す例では、チェック対象処理として変換処理を例に取り説明しているが、これに限定されるものではない。
【００４２】
判定部３３８は、フロー制御部３３４からの指示を受け、チェック対象処理の処理結果のユーザ確認が必要であるか否かを判定する。具体的には、判定部３３８は、確認テーブルを参照して、チェック対象処理の処理結果のユーザ確認が必要であるか否かを判定する。
【００４３】
ここで、確認装置テーブル記憶部３２４について説明する。確認装置テーブル記憶部３２４は、チェック対象処理と、複合機２０又はＰＣ５０を示す確認装置情報と、を対応付けた確認装置テーブルを記憶する。図７は、確認装置テーブルの一例を示す図である。図７に示す例では、ＯＣＲ処理の確認装置情報は、複合機２０又はＰＣ５０を示し、パンチ穴除去処理及び天地識別処理の確認装置情報は、ＰＣ５０を示している。なお、図７に示す確認装置テーブルでは、チェック対象処理の処理結果の修正に適した装置を確認装置情報に設定している。例えば、パンチ穴除去処理の処理結果の修正には操作性が要求されるため、ＰＣ５０が設定されており、文書の再スキャンは、複合機２０からでなければ行えないため、複合機２０が設定されている。
【００４４】
通知部３４０は、判定部３３８によりユーザ確認が必要であると判定された場合、チェック対象処理の処理結果の確認をユーザに通知する。この際、通知部３４０は、チェック対象処理の処理結果を確認する確認装置に複合機２０又はＰＣ５０を指定して、ユーザに通知する。具体的には、通知部３４０は、確認装置テーブルを参照し、チェック対象処理に対応付けられた確認装置情報が示す装置を確認装置に指定して、チェック対象処理の処理結果の確認をユーザに通知する。なお、通知部３４０の通知手法としては、例えば、電子メールなどが挙げられる。
【００４５】
通知部３４０により通知されたメールには、チェック対象処理の処理結果がリンクされており、例えば、ＰＣ５０のユーザは、このリンクを開くことでチェック対象処理の処理結果の確認画面を開くことができる。図８にＯＣＲ結果の確認画面の一例を示し、図９にパンチ穴除去結果の確認画面の一例を示し、図１０に天地識別結果の確認画面の一例を示す。
【００４６】
タイマ部３４２は、通知部３４０によりチェック対象処理の処理結果の確認が通知されてからの経過時間をカウントする。
【００４７】
受付部３４４は、ユーザからチェック対象処理の処理結果の修正入力を受け付ける。具体的には、受付部３４４は、確認装置に指定された複合機２０又はＰＣ５０から、チェック対象処理の処理結果の修正入力を受け付ける。図８に示すＯＣＲ結果であれば、受付部３４４は、ＰＣ５０から、文書タイトル、発注元、又は文書番号を修正した修正入力を受け付ける。図９に示すパンチ穴除去結果であれば、受付部３４４は、ＰＣ５０から、パンチ穴を除去する位置を修正する修正入力を受け付ける。図１０に示す天地識別結果であれば、受付部３４４は、ＰＣ５０から、天地を修正する修正入力を受け付ける。
【００４８】
また受付部３４４は、チェック対象処理の処理結果の修正が不要であることを示す修正不要入力を受け付ける。図８〜図１０に示す例であれば、いずれもＰＣ５０から「処理をやめる」が入力された場合に、受付部３４４は、修正不要入力を受け付ける。
【００４９】
ここで、修正方法テーブル記憶部３２６について説明する。修正方法テーブル記憶部３２６は、チェック対象処理と修正方法とを対応付けた修正方法テーブルを記憶する。図１１は、修正方法テーブルの一例を示す図である。図１１に示す例では、ノイズ除去の自動修正方法として３回実行するが対応付けられている。
【００５０】
修正部３４６は、判定部３３８によりユーザ確認が必要でないと判定された場合、チェック対象処理に応じた修正を画像データに施す。具体的には、修正部３４６は、判定部３３８によりユーザ確認が必要でないと判定された場合、修正方法テーブルを参照し、チェック対象処理に対応付けられた修正方法で画像データに修正を施す。
【００５１】
また修正部３４６は、受付部３４４により修正入力が受け付けられた場合、修正入力に従って画像データに修正を施す。
【００５２】
また修正部３４６は、タイマ部３４２によりカウントされた経過時間が所定時間を越えるまでに、受付部３４４により修正入力が受け付けられなかった場合、画像データの修正を中止する。また修正部３４６は、受付部３４４により修正不要入力が受け付けられた場合、画像データの修正を中止する。
【００５３】
配信部３４８は、フロー制御部３３４からの指示を受け、修正部３４６により修正が施された画像データを配信する。また、配信部３４８は、フロー制御部３３４からの指示を受け、修正部３４６による修正が中止された画像データを配信する。なお配信部３４８は、画像データをＳＭＴＰ配信するのであれば、図示せぬＳＭＴＰサーバに処理を依頼する。また配信部３４８は、フォルダ配信するのであれば、図示せぬファイルサーバに処理を依頼する。
【００５４】
なお、画像処理サーバ３０は、上述した各部の全てを必須の構成とする必要はなく、その一部を省略した構成としてもよい。
【００５５】
次に、第１実施形態の画像処理システムの動作について説明する。
【００５６】
図１２は、第１実施形態の画像処理システム１０で行われる処理の手順の流れの一例を示すフローチャートである。
【００５７】
ステップＳ１００では、画像生成部２３０は、原稿などの紙媒体を読み取って画像データを生成する。
【００５８】
ステップＳ１０２では、通信部２４０は、画像生成部２３０により生成された画像データ及び配信設定情報を画像処理サーバ３０に送信する。
【００５９】
ステップＳ１０４では、通信部３１０は、複合機２０から画像データ及び配信設定情報を受信する。
【００６０】
ステップＳ１０６では、フロー制御部３３４は、ワークフローの実行を制御する。
【００６１】
ステップＳ１０８では、判定部３３８は、フロー制御部３３４からの指示を受け、チェック対象処理の処理結果のユーザ確認が必要であるか否かを判定する。ユーザ確認が必要であると判定された場合（ステップＳ１０８でＹｅｓ）、ステップＳ１１０へ進み、ユーザ確認が必要でないと判定された場合（ステップＳ１０８でＮｏ）、ステップＳ１１６へ進む。
【００６２】
ステップＳ１１０では、通知部３４０は、チェック対象処理の処理結果の確認をユーザに通知する。
【００６３】
ステップＳ１１２では、修正部３４６は、タイマ部３４２によりカウントされた経過時間が所定時間を越えたか否かを判定する。所定時間を越えた場合（ステップＳ１１２でＹｅｓ）、ステップＳ１１８へ進み、ユーザ確認が必要でないと判定された場合（ステップＳ１１２でＮｏ）、ステップＳ１１４へ進む。
【００６４】
ステップＳ１１４では、受付部３４４が、ユーザからチェック対象処理の処理結果の修正入力を受け付けた場合（ステップＳ１１４でＹｅｓ）、ステップＳ１１６へ進み、修正不要入力を受け付けた場合（ステップＳ１１４でＮｏ）、ステップＳ１１８へ進む。
【００６５】
ステップＳ１１６では、修正部３４６は、画像データに修正を施す。
【００６６】
ステップＳ１１８では、配信部３４８は、画像データを配信する。
【００６７】
以上のように第１実施形態によれば、ワークフローを実行する場合であっても、チェック対象処理の処理結果を自動で修正可能な場合には自動修正し、自動で修正できない場合には、ユーザが修正するため、ユーザの意図した画像データを生成することができる。
【００６８】
また第１実施形態では、ユーザの修正が一定期間行われなかった場合には、修正を中止して処理を継続するため、ジョブの滞留を防止することができる。
【００６９】
（第２実施形態）
第２実施形態では、画像処理サーバを複合機に組み込んだ例について説明する。以下では、第１実施形態との相違点の説明を主に行い、第１実施形態と同様の機能を有する構成要素については、第１実施形態と同様の名称・符号を付し、その説明を省略する。
【００７０】
図１３は、第２実施形態の画像処理システム１１０の概略構成の一例を示す図であり、図１４は、第２実施形態の複合機１２０の機能構成の一例を示すブロック図である。第２実施形態では、画像処理サーバを複合機１２０に組み込んだため、画像処理システム１１０から画像処理サーバが削除されている。また、複合機１２０の機能は、基本的に第１実施形態の複合機２０及び画像処理サーバ３０と同様である。複合機１２０の記憶部４５０の確認テーブル記憶部４５２、確認装置テーブル記憶部４５４、修正方法テーブル記憶部４５６は、それぞれ、画像処理サーバ３０の確認テーブル記憶部３２２、確認装置テーブル記憶部３２４、修正方法テーブル記憶部３２６に対応する。また、複合機１２０の制御部４６０のジョブ管理部４６２、フロー制御部４６４、変換部４６６、判定部４６８、通知部４７０、タイマ部４７２、受付部４７４、修正部４７６、配信部４７８は、それぞれ、ジョブ管理部３３２、フロー制御部３３４、変換部３３６、判定部３３８、通知部３４０、タイマ部３４２、受付部３４４、修正部３４６、配信部３４８に対応する。
【００７１】
これにより、第２実施形態に係る複合機１２０によれば、複合機単体で、第１実施形態と同様の処理を行なうことができる。
【００７２】
（ハードウェア構成）
第１実施形態の画像処理サーバ３０及び第１〜２実施形態の複合機１０、１１０のハードウェア構成の一例について説明する。
【００７３】
第１実施形態の画像処理サーバ３０は、ＣＰＵなどの制御装置と、ＲＯＭやＲＡＭなどの記憶装置と、ＨＤＤやリムーバブルドライブ装置などの外部記憶装置と、ディスプレイなどの表示装置と、キーボードやマウスなどの入力装置を備えており、通常のコンピュータを利用したハードウェア構成となっている。
【００７４】
第１実施形態の画像処理サーバ３０で実行される画像処理プログラムは、インストール可能な形式又は実行可能な形式のファイルでＣＤ−ＲＯＭ、ＣＤ−Ｒ、メモリカード、ＤＶＤ（Digital Versatile Disk）、フレキシブルディスク（ＦＤ）等のコンピュータで読み取り可能な記憶媒体に記憶されて提供される。
【００７５】
また、第１実施形態の画像処理サーバ３０で実行される画像処理プログラムを、インターネット等のネットワークに接続されたコンピュータ上に格納し、ネットワーク経由でダウンロードさせることにより提供するようにしてもよい。また、第１実施形態の画像処理サーバ３０で実行される画像処理プログラムを、インターネット等のネットワーク経由で提供または配布するようにしてもよい。また、第１実施形態の画像処理サーバ３０で実行される画像処理プログラムを、ＲＯＭ等に予め組み込んで提供するようにしてもよい。
【００７６】
第１実施形態の画像処理サーバ３０で実行される画像処理プログラムは、上述した各部をコンピュータ上で実現させるためのモジュール構成となっている。実際のハードウェアとしては、ＣＰＵがＨＤＤから画像処理プログラムをＲＡＭ上に読み出して実行することにより、上記各部がコンピュータ上で実現されるようになっている。
【００７７】
図１５は、第１〜２実施形態の複合機１０、１１０のハードウェア構成の一例を示すブロック図である。
【００７８】
図１５に示すように、第１〜２実施形態の複合機１０、１１０は、コントローラ９１０とエンジン部（Engine）９６０とをＰＣＩ（Peripheral  Component  Interconnect）バスで接続した構成となる。コントローラ９１０は、複合機全体の制御、描画、通信、及び操作表示部９２０からの入力を制御するコントローラである。エンジン部９６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部９６０には、プロッタなどのいわゆるエンジン部分に加えて、誤差拡散やガンマ変換などの画像処理部分が含まれる。
【００７９】
コントローラ９１０は、ＣＰＵ９１１と、ノースブリッジ（ＮＢ）９１３と、システムメモリ（ＭＥＭ−Ｐ）９１２と、サウスブリッジ（ＳＢ）９１４と、ローカルメモリ（ＭＥＭ−Ｃ）９１７と、ＡＳＩＣ（Application  Specific  Integrated  Circuit）９１６と、ハードディスクドライブ（ＨＤＤ）９１８とを有し、ノースブリッジ（ＮＢ）９１３とＡＳＩＣ９１６との間をＡＧＰ（Accelerated  Graphics  Port）バス９１５で接続した構成となる。また、ＭＥＭ−Ｐ９１２は、ＲＯＭ９１２ａと、ＲＡＭ９１２ｂとをさらに有する。
【００８０】
ＣＰＵ９１１は、複合機の全体制御をおこなうものであり、ＮＢ９１３、ＭＥＭ−Ｐ９１２およびＳＢ９１４からなるチップセットを有し、このチップセットを介して他の機器と接続される。
【００８１】
ＮＢ９１３は、ＣＰＵ９１１とＭＥＭ−Ｐ９１２、ＳＢ９１４、ＡＧＰ９１５とを接続するためのブリッジであり、ＭＥＭ−Ｐ９１２に対する読み書きなどを制御するメモリコントローラと、ＰＣＩマスタおよびＡＧＰターゲットとを有する。
【００８２】
ＭＥＭ−Ｐ９１２は、プログラムやデータの格納用メモリ、プログラムやデータの展開用メモリ、プリンタの描画用メモリなどとして用いるシステムメモリであり、ＲＯＭ９１２ａとＲＡＭ９１２ｂとからなる。ＲＯＭ９１２ａは、プログラムやデータの格納用メモリとして用いる読み出し専用のメモリであり、ＲＡＭ９１２ｂは、プログラムやデータの展開用メモリ、プリンタの描画用メモリなどとして用いる書き込みおよび読み出し可能なメモリである。
【００８３】
ＳＢ９１４は、ＮＢ９１３とＰＣＩデバイス、周辺デバイスとを接続するためのブリッジである。このＳＢ９１４は、ＰＣＩバスを介してＮＢ９１３と接続されており、このＰＣＩバスには、ネットワークインタフェース（Ｉ／Ｆ）部なども接続される。
【００８４】
ＡＳＩＣ９１６は、画像処理用のハードウェア要素を有する画像処理用途向けのＩＣ（Integrated  Circuit）であり、ＡＧＰ９１５、ＰＣＩバス、ＨＤＤ９１８およびＭＥＭ−Ｃ９１７をそれぞれ接続するブリッジの役割を有する。このＡＳＩＣ９１６は、ＰＣＩターゲットおよびＡＧＰマスタと、ＡＳＩＣ９１６の中核をなすアービタ（ＡＲＢ）と、ＭＥＭ−Ｃ９１７を制御するメモリコントローラと、ハードウェアロジックなどにより画像データの回転などをおこなう複数のＤＭＡＣ（Direct  Memory  Access  Controller）と、エンジン部９６０との間でＰＣＩバスを介したデータ転送をおこなうＰＣＩユニットとからなる。このＡＳＩＣ９１６には、ＰＣＩバスを介してＦＣＵ（Fax  Control  Unit）９３０、ＵＳＢ（Universal  Serial  Bus）９４０、ＩＥＥＥ１３９４（the  Institute  of  Electrical  and  Electronics  Engineers  1394）インタフェース９５０が接続される。操作表示部９２０はＡＳＩＣ９１６に直接接続されている。
【００８５】
ＭＥＭ−Ｃ９１７は、コピー用画像バッファ、符号バッファとして用いるローカルメモリであり、ＨＤＤ９１８は、画像データの蓄積、プログラムの蓄積、フォントデータの蓄積、フォームの蓄積を行うためのストレージである。
【００８６】
ＡＧＰ９１５は、グラフィック処理を高速化するために提案されたグラフィックスアクセラレーターカード用のバスインターフェースであり、ＭＥＭ−Ｐ９１２に高スループットで直接アクセスすることにより、グラフィックスアクセラレーターカードを高速にするものである。
【００８７】
なお、第１〜２実施形態の複合機１０、１１０で実行される画像処理プログラムは、ＲＯＭ等に予め組み込まれて提供される。
【００８８】
第１〜２実施形態の複合機１０、１１０で実行される画像処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記録して提供するように構成してもよい。
【００８９】
さらに、第１〜２実施形態の複合機１０、１１０で実行される画像処理プログラムを、インターネット等のネットワークに接続されたコンピュータ上に格納し、ネットワーク経由でダウンロードさせることにより提供するように構成しても良い。また、第１〜２実施形態の複合機１０、１１０で実行される画像処理プログラムをインターネット等のネットワーク経由で提供または配布するように構成しても良い。
【００９０】
第１〜２実施形態の複合機１０、１１０で実行される画像処理プログラムは、上述した各部をコンピュータ上で実現させるためのモジュール構成となっている。実際のハードウェアとしてはＣＰＵ９１１がＲＯＭ９１２ａからプログラムをＲＡＭ９１２ｂ上に読み出して実行することにより、上記各部がコンピュータ上で実現されるようになっている。
【００９１】
（変形例）
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、上記実施形態に示される全構成要素からいくつかの構成要素を削除してもよい。さらに、異なる上記実施形態にわたる構成要素を適宜組み合わせても良い。
【００９２】
例えば、上記各実施形態において、自動修正結果に対してもユーザ確認を行うようにしてもよい。また、複合機からチェック対象処理の処理結果の修正を複合機から行う場合に、画像データの読み取り時と同様の認証を行わせるようにしてもよい。これにより、機密性の高い書類の画像データを修正する場合であっても機密性を担保することができる。また、ユーザによる確認待ち状態のジョブを結合するようにしてもよい。
【符号の説明】
【００９３】
１０、１１０  画像処理システム
１１  ネットワーク
２０、１２０  複合機
３０  画像処理サーバ
４０  画像管理サーバ
５０  ＰＣ
２１０  表示部
２２０  入力部
２３０  画像生成部
２４０  通信部
２５０、４５０  記憶部
２６０、４６０  制御部
３１０  通信部
３２０  記憶部
３２２  確認テーブル記憶部
３２４  確認装置テーブル記憶部
３２６  修正方法テーブル記憶部
３３０  制御部
３３２  ジョブ管理部
３３４  フロー制御部
３３６  変換部
３３８  判定部
３４０  通知部
３４２  タイマ部
３４４  受付部
３４６  修正部
３４８  配信部
４５２  確認テーブル記憶部
４５４  確認装置テーブル記憶部
４５６  修正方法テーブル記憶部
４６２  ジョブ管理部
４６４  フロー制御部
４６６  変換部
４６８  判定部
４７０  通知部
４７２  タイマ部
４７４  受付部
４７６  修正部
４７８  配信部
９１０  コントローラ
９１１  ＣＰＵ
９１２  システムメモリ
９１２ａ  ＲＯＭ
９１２ｂ  ＲＡＭ
９１３  ノースブリッジ
９１４  サウスブリッジ
９１５  ＡＧＰバス
９１６  ＡＳＩＣ
９１７  ローカルメモリ
９１８  ハードディスクドライブ
９２０  操作表示部
９３０  ＦＣＵ
９４０  ＵＳＢ
９５０  ＩＥＥＥ１３９４インタフェース
９６０  エンジン部
【先行技術文献】
【特許文献】
【００９４】
【特許文献１】特開２００９−４４７２３号公報
【図１】
0005621286.tif 000002
【図２】
0005621286.tif 000003
【図３】
0005621286.tif 000004
【図４】
0005621286.tif 000005
【図５】
0005621286.tif 000006
【図６】
0005621286.tif 000007
【図７】
0005621286.tif 000008
【図８】
0005621286.tif 000009
【図９】
0005621286.tif 000010
【図１０】
0005621286.tif 000011
【図１１】
0005621286.tif 000012
【図１２】
0005621286.tif 000013
【図１３】
0005621286.tif 000014
【図１４】
0005621286.tif 000015
【図１５】
0005621286.tif 000016